(57)【要約】【課題】  ガラス窓や扉のガラス部分を挟んで、両側の温度を同時に知る事ができる温度計を提供する。【解決手段】  第１温度計と第２温度計とによるマルチ温度計であり、着脱部材が窓や扉等のガラス部分を挟んで、温度測定部が同一の高さとなる様に着脱固定可能となったマルチ温度計。【選択図】  図１
2006078456.tif 000002
【特許請求の範囲】
【請求項１】
温度測定部材が同一構造の第１温度計と第２温度計とによるマルチ温度計であり、窓や扉等のガラス部分を挟んで、温度測定部が同一の高さとなる様に着脱固定可能となっており、それぞれの温度を可視し比較できるマルチ温度計。
【請求項２】
第１温度計、第２温度計それぞれに任意の壁面に着脱固定するため、磁石・吸盤・粘着テープ等の壁固定機構を設けたことを特徴とする請求項１記載のマルチ温度計。
【請求項３】
少なくともどちらか一方の温度計に、取り付け面からの温度の影響を受けにくくする断熱機構を設けたことを特徴とする請求項１又は２記載のマルチ温度計。
【請求項４】
第１温度計と第２温度計の温度測定部が、異なる色となっていることを特徴とする請求項１、２、又は３記載のマルチ温度計。
【請求項５】
ガラスに装着使用した状態でそれぞれの温度測定部付近に、温度差の指標となる任意温度の目盛幅よりなる温度差目安機構を設けたことを特徴とする請求項１、２、３、又は４記載のマルチ温度計。
【発明の詳細な説明】
【技術分野】
【０００１】本発明は、ガラス窓や扉のガラス部分を挟んで両側の温度を同時に知る事ができる温度計である。
【背景技術】
【０００２】従来は、アルコール式温度計・バイメタル式温度計共に、単独で壁に取り付ける或いは机上等に置き温度を測定していた。
【発明の開示】
【発明が解決しようとする課題】
【０００３】今までは、以下のような問題点があった。
ガラスの内側と外側の温度を、同時に測定することはできなかった。
一つの温度計で測定するので、他の場所に持って行った場合、温度が落ち着くまで待たねばならなかった。
又任意の温度差を知るには、測定した２ヶ所の温度差を記憶又は書き留めておいて比較しなければならなかった。
【課題を解決するための手段】
【０００４】第１温度計と第２温度計とによるマルチ温度計であり、着脱部材が窓や扉等のガラス部分を挟んで、温度測定部が同一の高さとなる様に着脱固定可能となったマルチ温度計。
【発明の効果】
【０００５】（１）ガラス窓や扉を開けることなく、こちら側と向こう側の温度を測定することが可能であると共に、容易に温度差を知ることができる。
（２）壁固定機構を具備するものにあっては、温度計を単独でも使用できる。
（３）断熱機構を具備するものにあっては、取り付け面からの温度影響を受けにくく正確な温度測定ができる。
（４）二つの温度計の温度測定部分や指針の色を異なるものにすることで、見やすく且つ認識しやすい。
（５）温度差目安機構を設けることにより温度差が明確になる。
【発明を実施するための最良の形態】
【０００６】以下、本発明の第１実施の状態について説明する。
本発明は、図１に示すようにアルコール式温度計である第１温度計（１ａ）と第２温度計（２ａ）により構成される。
第１温度計（１ａ）は図２に示すように基板（３ａ）目盛（４ａ）温度測定部材としてのアルコール管（５ａ）着脱部材（６ａ）温度目安機構断熱材（８ａ）により構成される。
基板（３ａ）は、左側上部と左側下部に磁石装着用の切欠部（９ａ）がありそこに相互に磁着する磁石（６ａ）が接着剤等によって固定される。
中央にはアルコール管収納部（１０ａ）があり、アルコール管が取り付けられる。
その右側には、温度目盛り（４ａ）が刻まれている。
又左側には、温度目安機構が付いている。
温度目安機構は、図５に示す様に基盤表面の上下方向に設けられた細長い溝（１４）と、この溝にはまる爪のある任意の目盛幅のスライド板（１３）が負荷を持って取り付けられており、これが上下にスライドし、任意の位置に固定できるようになっている。
基盤裏面には、ガラス面からの温度の影響を防ぐ目的で断熱材（８ａ）が取り付けられている。
同様に、第２温度計（２ａ）は基板（３ｂ）目盛（４ｂ）温度測定部材（５ｂ）着脱部材（６ｂ）温度目安目盛（７）断熱材（８ｂ）により構成される。
温度目安目盛（７）は、温度測定部の右側に温度幅を容易に認識できるように刻まれている。
これを使用する際は、図３（ａ）に示すように二つの温度計を窓や扉のガラス部分を挟んで同じ高さに磁石の磁着作用を利用して固定する。
図３（ｃ）に示すように、二つの目盛りが同一方向を向いているのでガラスの両側の温度が同時に読めるようになる。
それぞれの温度を読み高低差で比較する。
中央にある任意の温度幅のスライド板（１３）は、温度差の参考にする。
第１温度計と第２温度計は、季節によって図４のように入れ替えても良い。
この際は、温度目安目盛（７）により温度差を知る目安とする。
又第１温度計と第２温度計は図６のように、冷蔵庫等の金属部分に着脱可能なのでそれぞれ個々に使用する事もできる。
磁石の代わりに、図７（ａ）のように吸盤（１１）や、図７（ｂ）のように粘着テープ（１２）等によって第１温度計と第２温度計を、磁石を使用する場合と同様に同じ高さで目盛りが同一方向を向くように固定して使用することもできる。【０００７】以下、本発明の第２実施の状態について説明する。
本発明は、図８に示すようにバイメタル式温度計である第１温度計（１ｂ）と第２温度計（２ｂ）により構成される。
図において第１温度計と第２温度計は、それぞれ円盤形のケース内にバイメタル機構が内蔵されており同心円上で指針が動くようになっている。
目盛も双方同じ位置に設けられている。
第１温度計の目盛部分は、全体が透過して第１温度計の奥の第２温度計が見えるようになっている。
又第１温度計においては裏面側に、第２温度計においては表面側に断熱材が設けられている。
断熱材は、ガラス面からの温度の影響を少なくするためのものである。
着脱部材としては、粘着テープ（１２）が利用されており第１温度計においては裏面に、第２温度計においては表面にそれぞれ貼付されている。
粘着テープの表面には、剥離紙（１５）が付けられている。
これを使用する際は、図９に示すように二つの温度計を窓や扉のガラス部分を挟んで、外周と目盛が重なるように粘着テープ等を用いて固定する。
この際、正面から見たのが図１０である。
第１温度計は、室内の温度であり指針（１６ａ）は２０度を示し、第２温度計は屋外の温度で指針（１６ｂ）は３０度を示していることが分かる。
この様に、ガラスの両側の温度が同時に読み角度差で比較することができる。
第１温度計の指針（１６ａ）と第２温度計は指針（１６ｂ）は色が異なるので季節によって入れ替えても良い。
又第１温度計と第２温度計は、図１１のように粘着テープの他吸盤等によりそれぞれ個々に取り付けて使用する事もできる。
第１温度計と第２温度計は、全く同一のものでも良い。
【図面の簡単な説明】
【０００８】
【図１】  本発明の斜視図
【図２】  本発明の分解図
【図３】  本発明の使用説明図
【図４】  本発明の他の使用説明図
【図５】  本発明の温度目安機構の説明図
【図６】  本発明の使用状態図
【図７】  本発明の他着脱部材利用の説明図
【図８】  本発明の他の実施例の斜視図
【図９】  本発明の他の実施例の使用状態図
【図１０】  本発明の他の実施例の使用状態図
【図１１】  本発明の他の実施例の使用説明図
【符号の説明】
【０００９】１；１ａ；１ｂ  第１温度計
２；２ａ；２ｂ  第２温度計
３；３ａ；３ｂ  基盤
４；４ａ；４ｂ  目盛
５；５ａ；５ｂ  アルコール管
６；６ａ；６ｂ  着脱部材
７  温度目安目盛
８；８ａ；８ｂ  断熱材
９；９ａ；９ｂ  切欠部
１０；１０ａ；１０ｂ  アルコール管収納部
１１  吸盤
１２  粘着テープ
１３  スライド板
１４  溝
１５  剥離紙
１６；１６ａ；１６ｂ  指針
【図１】
2006078456.tif 000003
【図２】
2006078456.tif 000004
【図３】
2006078456.tif 000005
【図４】
2006078456.tif 000006
【図５】
2006078456.tif 000007
【図６】
2006078456.tif 000008
【図７】
2006078456.tif 000009
【図８】
2006078456.tif 000010
【図９】
2006078456.tif 000011
【図１０】
2006078456.tif 000012
【図１１】
2006078456.tif 000013